(57)【要約】【課題】トラフ壁面への付着物の付着を防止可能な排水処理装置を提供する。【解決手段】排水を貯留する槽本体２と、槽本体２の軸線方向の回りに旋回する回転部材３に取り付けられ、排水液面に浮遊するスカムを掻き取る掻取部材４と、槽本体２の外周面に沿って設けられ、スカムと分離された処理水が流れる環状のトラフ５と、を備えた排水処理装置１であって、トラフ５の上端部に設けられ、トラフ５の外側に張り出す越流板６と、回転部材３に取り付けられ、越流板６の越流面６ｃと接触するスクレーパ７と、を備えた。【選択図】図３
2011072942.tif 000002
【特許請求の範囲】
【請求項１】
排水を貯留する排水処理槽と、前記排水処理槽の軸線方向の回りに旋回する回転部材に取り付けられ、前記排水液面に浮遊する浮遊物を掻き取る掻取部材と、前記排水処理槽の外周面に沿って設けられ、前記浮遊物と分離された処理水が流れる環状のトラフと、を備えた排水処理装置であって、
前記トラフの上端部に設けられ、前記トラフの外側に張り出す越流板と、
前記回転部材に取り付けられ、前記越流板の越流面と接触する接触部材と、
を備えた排水処理装置。
【請求項２】
前記越流板が前記トラフの外側へ向かって下方向に傾斜している請求項１に記載の排水処理装置。
【請求項３】
前記排水処理槽が加圧浮上槽である請求項１又は２に記載の排水処理装置。
【発明の詳細な説明】
【技術分野】
【０００１】
本発明は、排水処理槽に貯留された排水液面に浮遊する浮遊物を除去する排水処理装置に関する。
【背景技術】
【０００２】
排水処理設備においては複数の排水処理槽が設けられている。微生物等により有機物を分解する一次処理を行う処理槽、凝集剤の投入により凝集した汚泥を沈殿させ処理水と分離する二次処理を行う沈殿槽、凝集した汚泥を加圧浮上させて処理水とさらに分離させる三次処理を行う加圧浮上槽といった各排水処理槽では段階的に排水の処理が行われる。三次処理において、処理水面に浮上した汚泥は掻き取られて除去される一方、処理水は加圧浮上槽の外周面に設けられたトラフを介して次工程へ流れていく（例えば、特許文献１及び２参照。）。
【先行技術文献】
【特許文献】
【０００３】
【特許文献１】特開平６−３２８０９０号公報
【特許文献２】特開平１１−５０９４号公報
【発明の概要】
【発明が解決しようとする課題】
【０００４】
トラフを流れる処理水は、トラフ上端部を越流し、そのまま壁面を伝って落下した後さらに次工程へ流れていく。このとき、凝集剤を含む汚れがトラフ壁面に付着する。付着物は、ある程度大きくなるとトラフ壁面から剥がれ、処理水とともに流れ出すため、付着物の流出が次工程に設けられる排水監視計器の誤動作の原因となるおそれがある。
【０００５】
そこで、本発明はトラフ壁面への付着物の付着を防止可能な排水処理装置を提供することを目的とする。
【課題を解決するための手段】
【０００６】
本発明の排水処理装置は、排水を貯留する排水処理槽（２）と、前記排水処理槽の軸線方向の回りに旋回する回転部材（３）に取り付けられ、前記排水液面に浮遊する浮遊物を掻き取る掻取部材（４）と、前記排水処理槽の外周面に沿って設けられ、前記浮遊物と分離された処理水が流れる環状のトラフ（５）と、を備えた排水処理装置（１）であって、前記トラフの上端部に設けられ、前記トラフの外側に張り出す越流板（６）と、前記回転部材に取り付けられ、前記越流板の越流面（６ｃ）と接触する接触部材（７）と、を備えたことにより上記課題を解決する。
【０００７】
本発明の排水処理装置によれば、浮遊物と分離された処理水はトラフを流れる。処理水は、トラフを越流する際に越流板を介して流れるので、トラフ壁面を処理水が伝って流れることはない。越流板には、回転部材に取り付けられた接触部材が接触し、付着物を除去する。接触部材は回転部材に取り付けられているので、周期的に越流板が清掃される。従って、付着物が大きくなって越流板から剥がれ落ちる前に除去することができ、排水監視計器の誤動作の原因となるような大きな付着物が流れ出ることがない。
【０００８】
本発明の排水処理装置の一形態において、前記越流板が前記トラフの外側へ向かって下方向に傾斜していてもよい。この形態によれば、処理水が越流板状で滞ることなく効率的に越流させることができる。
【０００９】
本発明の排水処理装置の一形態において、前記排水処理槽が加圧浮上槽であってもよい。この形態によれば、排水中に浮遊する浮遊物質を分離してスカムとして除去する加圧浮上槽においても、分離された処理水が流れるトラフの越流部に越流板を設けることでトラフ壁面への付着物の付着を防止できる。処理水が流れる越流板は接触部材にて付着物が大きくなる前に清掃されるので大きな付着物が流出することもない。
【００１０】
なお、以上の説明では本発明の理解を容易にするために添付図面の参照符号を括弧書きにて付記したが、それにより本発明が図示の形態に限定されるものではない。
【発明の効果】
【００１１】
以上、説明したように、本発明の排水処理装置においては、浮遊物と分離された処理水はトラフを流れる。処理水は、トラフを越流する際に越流板を介して流れるので、トラフ壁面を処理水が伝って流れることはない。越流板には、回転部材に取り付けられた接触部材が接触し、付着物を除去する。接触部材は回転部材に取り付けられているので、周期的に越流板が清掃される。従って、付着物が大きくなって越流板から剥がれ落ちる前に除去することができ、排水監視計器の誤動作の原因となるような大きな付着物が流れ出ることがない。よって、従来実施していたトラフ壁面の清掃作業が不要となり、越流板自体の清掃も自動化することで、オペレータの負担を軽減し、清掃による事故を回避することができる。
【図面の簡単な説明】
【００１２】
【図１】本発明の一形態に係る排水処理装置の上面図。
【図２】越流板の断面図。
【図３】越流板とスクレーパとの関係を説明する図。
【発明を実施するための形態】
【００１３】
図１に本発明の一形態に係る排水処理装置の上面図を示す。排水処理装置１は、ビール工場等の飲料製造工程で発生した排水を浄化する排水処理設備のうちのひとつで、加圧浮上槽による三次処理を行うものである。なお、一次処理では微生物等により排水中の有機物が分解され、二次処理では凝集剤の投入により凝集した汚泥を沈殿させて処理水と分離させる。三次処理では、二次処理後の排水内の浮遊物質を取り除く。このため排水には凝集剤が添加されている。その排水に、圧力を加えて空気が溶け込んだ加圧水を送り込み、減圧によって溶け込んだ空気が微細気泡となり排水内で放出されることで浮遊物質に微細気泡が付着して浮上させ、処理水と分離させている。一方、沈殿した浮遊物質は、下部に設けられたレーキブレードにて掻き取られ排出される。
【００１４】
排水処理装置１は、二次処理後の排水を貯留する排水処理槽としての槽本体２と、槽本体２の軸線方向の回りに旋回する回転部材３と、回転部材３に取り付けられて、排水液面に浮遊する浮遊物としてのスカムを掻き取る掻取部材４と、槽本体２の外周面に沿って設けられ、スカムと分離された処理水が流れるトラフ５と、トラフ５の上端部に設けられた越流板６と、越流板５と接触する接触部材としてのスクレーパ７とを備えている。槽本体２は、円筒形状の水槽で、トラフ５を含む上方には通路８が半径方向に架け渡されている。槽本体２では、貯留されている排水中の浮遊物質に微細気泡が付着して浮上しスカムとして処理水と分離する。槽本体２には、掻き取られたスカムを回収するスカムボックス２ａが設けられている。スカムボックス２ａへ回収されたスカムは、次工程へ送られる。また、槽本体２の上端部の全周には、回転部材３の旋回を補助するためのレール２ｂが設けられている。
【００１５】
回転部材３は槽本体２の上部に設けられ、槽本体２の中心に設けられた中心軸３ａの回りを時計回りに旋回する。回転部材３は、中心軸３ａから半径方向に延びて掻取部材４を支持する複数の支持部３ｂと、各支持部３ｂ間を支持固定する固定部３ｃとを有する。支持部３ｂは、一定の間隔をあけて設けられる。本形態では、中心軸３ａを中心として６０度毎に計６個の支持部３ｂが設けられている。各支持部３ｂの先端部には、回転部材３の旋回を補助する車輪３ｄが設けられ、槽本体２のレール２ｂに沿って移動する。各支持部３ｂには、掻取部材４が取り付けられている。掻取部材４は、排水液面に溜まるスカムを掻き取るためのもので、回転部材３の旋回運動とともに排水液面を旋回する。スカムボックス２ａは掻取部材４の旋回経路上に設けられているので、掻取部材４がスカムボックス２ａを通過する際に掻取部材４により掻き集められたスカムが回収される。なお、槽本体２、回転部材３及び掻取部材４は、各種公知技術を利用してもよい。
【００１６】
トラフ５は、槽本体２の外周面に沿って環状に設けられている。槽本体２でスカムと分離された処理水は、トラフ５を流れ、トラフ５の外周側の壁面５ａ（図２参照）の上端部から越流してさらに次工程へ流れていく。そのトラフ５の上端部には、越流板６が設けられている。図２に越流板６の断面図を示す。越流板６は、トラフ５の上端部の全周に亘って設けられた環状の板部材である。越流板６は、トラフ５の壁面５ａの内周面側から固定する全周に亘って設けられた固定部材６ａと、トラフ５の壁面５ａの外周面側から支持する支持部材６ｂとを有する。支持部材６ｂは、一定の間隔で設けられていても、全周に亘って設けられていてもよい。越流板６の固定方法は適宜変更してもよい。越流板６は、トラフ５の外側へ向かって下方向に傾斜している。これにより、トラフ５を越流する処理水は、越流板６の越流面６ｃ上を流れて放出される。越流板６の取付け角度は、水平方向であってもよく適宜変更してよい。また、越流板６の半径方向のサイズも適宜変更してよい。スクレーパ７は、ゴム等の弾性材料で形成された板状の掻取り部材で、板状の弾性部材が越流板６と接触して、ヘラのように越流面６ｃの付着物を掻き取る。スクレーパ７は、回転部材３の支持部３ｂ先端部に取付部材７ａを介して取り付けられ、越流板６の越流面６ｃと接触して越流面６ｃを擦る。スクレーパ７は、全ての支持部３ｂに取り付ける必要はなく適宜設けてよい。本形態では、支持部３ｂに対してひとつおきに、計３個のスクレーパ７が設けられている。スクレーパ７の取付角度は適宜変更してよい。
【００１７】
排水処理装置１の作用を説明する。二次処理後の排水は、槽本体２に貯留されて排水中の浮遊物質が除去される。槽本体２では、凝集剤が添加され、排水中の浮遊物質が加圧浮上することにより、スカムとして排水と分離される。スカムは、槽本体２上に回転する掻取部材４によって掻き取られスカムボックス２ａに回収される。スカム分離後の排水は、処理水としてトラフ５へ流れていく。図３は、越流板６とスクレーパ７との関係を説明する図である。図３において、スクレーパ７を含む回転部材３は時計回りに旋回している。処理水は、トラフ５の壁面５ａの上端部に設けられた越流板６を介してトラフ５から越流し、落下する。このとき、処理水はトラフ５の壁面５ａを伝わずに図中矢印のように越流板６の越流面６ｃを流れるので、トラフ５の外周側壁面５ａを伝って落下するようなことがない。そして、スクレーパ７が回転部材３の旋回に伴って、越流面６ｃと接触しながら越流板６の全周を擦る。スクレーパ７が一定の周期で越流面６ｃを移動するので、越流面６ｃに付着物が付着することがあっても大きくなる前に除去することができる。トラフ５の壁面５ａについても付着物が付着することがなくなるため、従来実施していたトラフ５の壁面５ａの清掃作業が不要になる。
【００１８】
本発明は、上述した形態に限定されることなく、種々の形態にて実施することができる。例えば、本形態では、支持部３ｂの設置個数を６個として説明したがこれに限られず、適宜の変更が可能である。また、スクレーパ７の設置個数を３個として説明したがこれに限られず、越流板６への付着物の付着状況に応じて適宜変更してよい。接触部材は弾性材料で形成された板状の部材に限られず、各種のブラシ部材を適用してよい。越流板６の越流面６ｃを清掃可能な構成であれば、適宜周知技術を適用してよい。また、越流板６の形状は、板状に限られない。トラフ５の壁面５ａを処理水が伝わらないように、トラフ５の上端部が外側に張り出した構成であれば適宜の変更が可能である。排水処理装置１として加圧浮上槽で説明したが、これに限られず、浮上したスカム等の浮遊物を掻き取る掻取部材４が槽本体２の内周を旋回するように設けられている装置であれば適用可能である。
【符号の説明】
【００１９】
１  排水処理装置
２  槽本体（排水処理槽）
３  回転部材
４  掻取部材
５  トラフ
６  越流板
６ｃ  越流面
７  スクレーパ（接触部材）
【図１】
2011072942.tif 000003
【図２】
2011072942.tif 000004
【図３】
2011072942.tif 000005